(57)【要約】【課題】平面形状を維持したまま自由に変形させることができ、且つ、変形させた形状を保持することができる平型ケーブルを提供すること。【解決手段】中心導体１と、ジャケット４とを有する極細同軸ケーブル１１０を、複数本、平面状に並置してフラット状に成形し、所定本数毎に横糸１２０で織って集合した極細平型ケーブル１００であって、極細同軸ケーブル１１０の幅方向の側部には、絡み糸１３０が並置されており、横糸１２０は、絡み糸１３０より伸び率が高いことを特徴としている。これにより、極細平型ケーブル１００では、曲げた時に、曲げた部分の横糸１２０が伸長し、これに伴って曲げた部分の極細同軸ケーブル１１０は、極細同軸ケーブル１１０と横糸１２０の編み目から逃げることが可能になる。従って、極細平型ケーブル１００では、平面形状を維持したまま自由に変形させることができ、さらに、その形状を保持することが可能になる。【選択図】図３
2008235024.tif 000002
【特許請求の範囲】
【請求項１】
少なくとも、中心導体と、
前記中心導体の外周に被膜された保護被膜層とを有するケーブルを、
複数本、平面状に並置してフラット状に成形し、
並置されて隣接する前記ケーブルを、所定本数毎に横糸で織って集合した平型ケーブルであって、
並置された前記ケーブルの幅方向の側部には、縦糸が並置されており、
前記横糸は、前記縦糸と比較して伸び率が高いことを特徴とする平型ケーブル。
【請求項２】
前記横糸は、張力が与えられた場合、張力が与えられていない状態時の長さと比較して、少なくとも１．２倍の長さになるまで伸長することを特徴とする請求項１に記載の平型ケーブル。
【請求項３】
前記横糸は、ポリウレタン繊維を含むことを特徴とする請求項１または２に記載の平型ケーブル。
【請求項４】
前記横糸は、自己捲回糸であることを特徴とする請求項１または２に記載の平型ケーブル。
【請求項５】
前記ケーブルが、同軸ケーブルであることを特徴とする請求項１乃至４の何れか一項に記載の平型ケーブル。
【請求項６】
複数本、平面状に並置された前記ケーブルの内、隣り合う当該ケーブルの間隔を変更可能であることを特徴とする請求項１乃至５の何れか一項に記載の平型ケーブル。
【発明の詳細な説明】
【技術分野】
【０００１】
本発明は、平型ケーブルに関する。
【背景技術】
【０００２】
従来、平型ケーブルのひとつとして、本出願人は、複数本の極細同軸ケーブルを並置し、これら隣接する複数本の極細同軸ケーブルを、変形を与えることなく、所定本数毎に多数本のフィラメントで織って集合した極細平型ケーブルを提供してきた。この極細平型ケーブルは、極細同軸ケーブルを所定本数毎に、伸縮性を有する細い多数本のフィラメントで織って集合しているので、屈曲性あるいは可撓性方向の自由度が大きく、しかもフラット状に成形した際に、極細同軸ケーブルが、特性インピーダンス等の電気的特性の悪影響を受けることを低減することが可能となっている（特許文献１）。
【０００３】
【特許文献１】特開２００１−１０１９３４号公報（特許３６４８１０３号）
【発明の開示】
【発明が解決しようとする課題】
【０００４】
上述した平型ケーブルでは、複数本の極細同軸ケーブルを、伸縮性を有する細い多数本のフィラメントで織って集合しているため、屈曲性あるいは可撓性方向の自由度が大きく、また、電気的特性に悪影響を及ぼさない程度の伸縮率の低いフィラメントを使用していることから高い復元性を有している。そのため、この平型ケーブルは、自由に屈曲させたり、撓ませたりすることができ、また、屈曲させたり、撓ませたとしても、極細同軸ケーブルが自由に編み目から逃げない為、元の平型ケーブルの形状に復元する力が働き、元の平型ケーブルの形状に簡単に戻すことが可能となっている。
【０００５】
一方、近年、高性能化、及び小型化が進む電子機器、例えば、携帯端末等の開発現場では、多数本のフィラメントで織って形成されているために、極細同軸ケーブルが受ける特性インピーダンス等の電気的特性による悪影響を低減することができるこの極細平型ケーブルを、機器内部の配線用ケーブルとして使用したいとの要望がなされている。そして、機器内部を自由に引き回すために、平面形状を維持したまま自由に曲げることができ、さらにその曲げ変形させた形状を維持することが可能な平型ケーブルの登場が強く望まれていた。
【０００６】
本発明は、上記のような種々の課題に鑑みなされたものであり、その目的は、平面形状を維持したまま自由に変形させることができ、且つ、変形させた形状を保持することができる平型ケーブルを提供することにある。
【課題を解決するための手段】
【０００７】
上記目的達成のため、本発明の平型ケーブルでは、少なくとも、中心導体と、前記中心導体の外周に被膜された保護被膜層とを有するケーブルを、複数本、平面状に並置してフラット状に成形し、並置されて隣接する前記ケーブルを、所定本数毎に糸で織って集合した平型ケーブルであって、並置された前記ケーブルの幅方向の側部には、縦糸が並置されており、前記糸は、前記縦糸と比較して伸び率が高いことを特徴としている。
【０００８】
これにより、本発明の平型ケーブルでは、この平型ケーブルを曲げた時に、ひとつひとつのケーブルを織っている糸が伸長するので曲げた部分の糸が伸長し、これに伴って曲げた部分のケーブルは、ケーブルと糸の編み目から逃げることが可能になる。従って、本発明の平型ケーブルでは、平面形状を維持したまま自由に変形させることができ、さらに、その形状を保持することが可能になる。
【０００９】
また、本発明の平型ケーブルでは、前記糸は、張力が与えられた場合、張力が与えられていない状態時の長さと比較して、少なくとも１．２倍の長さになるまで伸長することを特徴としている。これにより、本発明の平型ケーブルでは、この平型ケーブルを自由に曲げることが可能となり、曲げたままの形状を維持することが可能となる。
【００１０】
また、本発明の平型ケーブルでは、前記糸は、ポリウレタン繊維を含むことが好適である。また、本発明の平型ケーブルでは、前記糸は、自己捲回糸であることが好適である。これにより、本発明の平型ケーブルでは、ケーブルを織る糸として、張力が与えられた場合、張力が与えられていない状態時の長さと比較して、１．２倍以上の長さになるまで伸長する糸を使用することが可能となるので、平面形状を維持したまま自由に変形させることができ、その形状を保持することが可能な平型ケーブルを提供できる。
【００１１】
また、本発明の平型ケーブルは、前記ケーブルが、同軸ケーブルであることを特徴としている。これにより、本発明の平型ケーブルは、極細同軸ケーブルで形成することが可能となるので、携帯端末等の小スペースで非常に薄い隙間にしか存在しない配線スペースに配線可能な平型ケーブルを提供することが可能となる。
【００１２】
また、本発明の平型ケーブルは、複数本、平面状に並置された前記ケーブルの内、隣り合う当該ケーブルの間隔を変更可能であることを特徴としている。これにより、本発明の平型ケーブルでは、平型ケーブルの端末に位置する各ケーブルの間隔を変更することが可能となるので、ケーブル端末作業時の作業性を向上させることが可能となる。
【発明の効果】
【００１３】
以上の説明から明らかなように、本発明によれば以下の効果を奏することができる。即ち、本発明によれば、複数本のケーブルを少なくとも１．２倍の長さになるまで伸長する糸で織って平型ケーブルを形成しているため、この平型ケーブルを曲げた際に、その曲げた部分で糸が伸長することになる。そして、平型ケーブル１００は、織って形成されているため、ケーブルの長手方向に対してはケーブル同士がある程度摺動するようになり、曲げた部分のケーブルを逃げ易くすることも可能となる。これにより、本発明の平型ケーブルでは、平型ケーブルの平面形状を保持したまましなやかに曲げることが可能となり、曲げた部分のケーブルが、糸の伸長に合わせてケーブルと糸の編み目から逃げることが可能になる。従って、本発明の平型ケーブルは、平型ケーブルの平面形状を維持したまま自由に変形させることができ、さらに、その形状を保持することが可能になる。また、ケーブルの端末に位置する各ケーブルの間隔を変更することが可能となるので、ケーブル端末作業時の作業性を向上させることも可能となる。
【発明を実施するための最良の形態】
【００１４】
以下、本発明の第１の実施形態を、図面を参照して説明する。尚、以下に説明する実施形態は特許請求の範囲に係る発明を限定するものではなく、また実施形態の中で説明されている特徴の組み合わせの全てが本発明の成立に必須であるとは限らない。
【００１５】
まず、本実施形態の極細平型ケーブル１００について図１を用いて説明する。ここで、図１（ａ）は、本実施形態の極細平型ケーブル（平型ケーブル）１００の構造図であり、図１（ｂ）は、図１（ａ）に示す矢視Ａ−Ａから見た極細平型ケーブル１００の概略断面図である。
【００１６】
図１（ａ）、図１（ｂ）に示すように、本実施形態の極細平型ケーブル１００は、平面状に並置された、外径が極めて細い複数本の極細同軸ケーブル（ケーブル）１１０を備えており、これらの隣接する極細同軸ケーブル１１０を、本発明の特徴的な横糸（糸）１２０が交互に跨ぐようにして、横糸１２０にて所望に応じて所定本数毎に織るように設けられている。また、複数本の隣接した極細同軸ケーブル１１０の幅方向の側部には、絡み糸（縦糸）１３０が並置された状態で追加挿入されている。そして、この極細平型ケーブル１００の両端部にはコネクタ１４０が設けられている。
【００１７】
この極細平型ケーブル１００では、横糸１２０として、伸び率が少なくとも２０％の糸が使用されており、この横糸１２０が、複数本の隣接した極細同軸ケーブル１１０の幅方向の両側部で繰り返し折り返されている。その際、この横糸１２０は、極細平型ケーブル１００の長手方向に対してジグザグ状に設けられており、この横糸１２０のジグザグのピッチは、所望に応じて設定され、極細平型ケーブル１００のフラット状の形状が保持できる程度のピッチに設定されている。そして、横糸１２０は、折り返している部分でジグザグのピッチがずれないように捲着されており、これによって極細平型ケーブル１００は、変形させた場合でもフラット状の形状を保持することが可能となっている。
【００１８】
また、横糸１２０は、絡み糸１３０がある側部では、この絡み糸１３０で折り返されており、極細同軸ケーブル１１０に直接横糸１２０の張力の影響が与えられないようになっている。つまり、本実施形態の極細平型ケーブル１００は、絡み織りで織られることによって製織状のフラット状ケーブルとして成形されている。
【００１９】
従って、本実施形態の極細平型ケーブル１００では、極細平型ケーブル１００のフラット状の形状を保持しつつ、横糸１２０によって極細平型ケーブル１００の変形が阻害されることがない。さらに、極細平型ケーブル１００は、織ることによってフラット状に形成しているため、極細平型ケーブル１００の長手方向に対しては隣り合う極細同軸ケーブル１１０同士が、ある程度摺動するようになっている。そのため、極細平型ケーブル１００では、極細平型ケーブル１００自体をしなやかに変形させることができる。
【００２０】
また、横糸１２０は、極細同軸ケーブル１１０を織る際にこの極細同軸ケーブル１１０に凹凸状の変形を与えないような太さのものが用いられており、これによって、上記極細同軸ケーブル１１０に対して、特性インピーダンスなどの電気的特性に影響を与えることを防止することができる。
【００２１】
尚、本実施形態の極細平型ケーブル１００は、極細同軸ケーブル１１０を１５本並置してこの１５本の極細同軸ケーブル１１０を縦糸とし、６００％の伸び率を有する太さ７８ｄＴＸのポリウレタン繊維を横糸１２０とし、極細同軸ケーブル１１０を横糸１２０と６〜７％の伸び率を有するポリエステルの絡み糸１３０とによって絡み織りしたものである。次に、本実施形態の極細平型ケーブル１００に使用されている極細同軸ケーブル１１０について図２を用いて詳細に説明する。
【００２２】
図２は、本実施形態の極細同軸ケーブル１１０の断面図である。本実施形態の極細同軸ケーブル１１０は、図２に示すように、複数本の導体１ａを撚り合わせて中心導体１を形成し、この中心導体１の外周に押出機（図示せず）を用いて誘電体２ａを押出し被覆して誘電体層２を形成する。そして、この誘電体層２の外周に複数本の導体素線３ａを横巻きして外部導体層３を形成し、この外部導体層３の外周に、ジャケット（保護被膜層）４を押出し被覆して形成する。このようにして、極細同軸ケーブル１１０は形成されている。そして、本実施形態の極細平型ケーブル１００は、上述したように、この極細同軸ケーブル１１０を縦糸とし、横糸１２によって所定本数毎に織ることにより形成されている。
【００２３】
尚、本実施形態の極細同軸ケーブル１１０の構成は、外径０．０２５ｍｍの銀めっき錫入り銅合金線を７本撚り合わせて中心導体１を形成し、この中心導体１の外周に誘電体２ａとなるテトラフルオロエチレン−パーフルオロアルキルビニルエーテル共重合体（以下、単にＰＦＡという）を被覆して外径０．１６ｍｍとなるように誘電体層２を形成し、この誘電体層２の外周に導体素線３ａにあたる外径０．０３ｍｍの錫めっき軟銅線を１９本横巻きして外部導体層３を形成し、この外部導体層３の外周に、厚さ０．０３ｍｍのＰＦＡからなるジャケット４を押出し被覆して形成したものであり、極細同軸ケーブル１００の外径は０．２８ｍｍとされている。次に、本実施形態の極細平型ケーブル１００を曲げた際のケーブル形状について、図３を用いて説明する。
【００２４】
図３は、本実施形態の極細平型ケーブル１００の曲げる前のケーブル形状と、曲げた後のケーブル形状を比較説明するための図であり、図３（ａ）は、本実施形態の極細平型ケーブル１００が曲げられていない状態を示す図、図３（ｂ）は、本実施形態の極細平型ケーブル１００が曲げられた状態を示す図である。
【００２５】
図３（ａ）に示すように、本実施形態の極細平型ケーブル１００では、曲げられていない場合、横糸１２０のジグザグのピッチが一定であるため、横糸１２０の極細平型ケーブル１００の幅方向における長さは、どの箇所でも常にほぼ一定の長さとなる。例えば、図３（ａ）に示すように、第１横糸１２０ａ、第２横糸１２０ｂ、第３横糸１２０ｃは、長さが全てほぼ一定となっている。
【００２６】
このような極細平型ケーブル１００を、フラット形状を保持したまま、第３横糸部１２０ｃの近傍を中心にして１８０度の角度を与えるように曲げた場合、図３（ｂ）に示すように曲げられて極細同軸ケーブル１１０が並置されたまま湾曲変形しているα部分と、極細同軸ケーブル１１０が直線形状のまま並置されているβ部分とに分かれる。この時、横糸１２０は、折り返している部分で捲着されているため、極細平型ケーブル１００における幅方向の長さが極細平型ケーブル１００の変形に合わせて伸びることになる。
【００２７】
この横糸１２０の伸び量は、この極細平型ケーブル１００をどの位置を中心にして曲げたかによって異なり、図３（ｂ）に示すように、曲げられた中心位置から最も離れているβ部分の第１横糸１２０ａは、その長さが約２倍近く伸びるのに対し、α部分の中心位置の近傍にある第３横糸１２０ｃでは、その長さは殆ど変形しない。そして、その中間位置にある第２横糸１２０ｂでは、その長さが約１．７倍伸びることになる。
【００２８】
これは、極細平型ケーブル１００を曲げた場合、α部分において極細平型ケーブル１００の外側に当たるＡ側部と内側に当たるＢ側部とで極細平型ケーブル１００の円周差が生じるためである。このため、α部分では、Ａ側部の極細同軸ケーブル１１０の長さがＢ側部の極細同軸ケーブル１１０の長さに比べて極細平型ケーブル１００の幅の長さ×２Π分程度長くなる。しかしながら、横糸１２０は、その位置がずれないように捲着されているため、捲着されている位置がほとんどずれることがない。そのため、α部分では、Ａ側部とＢ側部とで横糸１２０の巻着されている部分の数が異なり、Ａ側部の方がＢ側部よりその数が多くなる。
【００２９】
これにより、極細平型ケーブル１００を湾曲変形させた場合、横糸１２０のＡ側部の捲着位置とＢ側部の捲着位置との距離は、極細平型ケーブル１００の円周差によって変化することになる。そして、極細平型ケーブル１００の円周差は、α部分の中心位置からα部分とβ部分との境に向けて徐々に大きくなっていき、α部分とβ部分との境で最も大きくなることから、Ａ側部の捲着位置がα部分とβ部分との境近傍にある横糸１２０が、最も長さが変形することになる。
【００３０】
また、β部分では、極細平型ケーブル１００の極細同軸ケーブル１１０が、直線形状のまま並置されているため、横糸１２０のＡ側部の捲着位置とＢ側部の捲着位置との距離にはなんら影響を与えることがない。そのため、このβ部分の横糸１２０は、全てα部分の極細平型ケーブル１００の円周差による影響を受けた状態で繰り返し折り返されることになる。従って、第１横糸１２０ａ、第２横糸１２０ｂ、第３横糸１２０ｃの中で最も長さが変形するのは、β部分の第１横糸１２０ａとなる。
【００３１】
そして、本実施形態の極細平型ケーブル１００では、横糸１２０が６００％の伸び率を有するポリウレタン繊維であるため、図３（ｂ）に示すように１８０度の角度を与えるように湾曲変形させた場合でも、横糸１２０は、第１横糸１２０ａの長さまで伸びることが可能となる。そのため、本実施形態の極細平型ケーブル１００では、フラット形状を保持したまま、極細平型ケーブル１００を１８０度の角度を与えるように曲げて変形させることが可能となる。
【００３２】
また、本実施形態の極細平型ケーブル１００では、ケーブル端末作業時の作業性を向上させることが可能となっている。次に、本実施形態の極細平型ケーブル１００における端末作業時の作業性が向上する点について、図４を用いて説明する。
【００３３】
図４は、本実施形態の極細平型ケーブル１００における端末処理作業の一例を示す図であり、図４（ａ）は、端末処理作業時の極細平型ケーブル１００の平面図、図４（ｂ）は、図４（ａ）に示す矢視Ｂ−Ｂから見た端末処理作業時の極細平型ケーブル１００の断面図である。
【００３４】
図４（ａ）、図４（ｂ）に示すように、極細平型ケーブル１００では、この極細平型ケーブル１００を織っている横糸１２０が伸びるポリウレタン繊維であるため、極細平型ケーブル１００に、幅方向に引く力が加えられると極細同軸ケーブル１１０同士のピッチが拡張する。そのため、本実施形態の極細平型ケーブル１００は、図４（ａ）、図４（ｂ）に示すように、例えば、櫛状の拡張冶具２００を使用し、複数の極細同軸ケーブル１１０のうちそれぞれ隣り合う極細同軸ケーブル１１０同士の間に、拡張冶具２００に備えられた複数の櫛歯２０１を挿入するだけで、横糸１２０が伸びて極細同軸ケーブル１１０同士のピッチを拡張冶具２００の形状に合わせて拡張することができる。
【００３５】
これにより、本実施形態の極細平型ケーブル１００では、コネクタ端子２４１の幅が極細平型ケーブル１００の幅より広い幅広コネクタ２４０に、端末接続作業を行う場合、極細同軸ケーブル１１０同士のピッチを拡張冶具２００によって拡張した状態で接続作業を行うことが可能となる。そのため、本実施形態の極細平型ケーブル１００では、１本１本の極細同軸ケーブル１１０をコネクタ端子２４１の接点にそれぞれ近接させた状態で、コネクタ端子２４１に接続することが可能となる。
【００３６】
また、本実施形態の極細平型ケーブル１００では、極細同軸ケーブル１１０同士のピッチを拡張できるので、極細同軸ケーブル１１０を複数本ずつの束とすることが可能となる。そのため、この極細平型ケーブル１００では、１つの極細平型ケーブル１００に複数のコネクタを接続する場合、例えば、極細平型ケーブル１００の極細同軸ケーブル１１０を５本ずつ分けて３組の束にし、この各束に対応するコネクタを３つ接続する場合、各束毎に、他の束を分けた状態でコネクタの接続作業を行うことが可能となる。
【００３７】
さらに、本実施形態の極細平型ケーブル１００では、極細同軸ケーブル１１０を複数本ずつの束とすることが可能となるので、従来、狭小部に配設され、複数本の極細平型ケーブルを使用しなければ接続することができなかったコネクタに対しても、本実施形態の極細平型ケーブル１００であれば、１つの極細平型ケーブル１００だけで接続することも可能となる。そして、上述した各理由により、本実施形態の極細平型ケーブル１００では、ケーブル端末作業時の作業性を向上させることが可能となっている。
【００３８】
尚、本実施形態の極細平型ケーブル１００では、極細同軸ケーブル１１０を横糸１２０と、絡み糸１３０で織って極細平型ケーブル１００としているが、本発明の平型ケーブルに用いられるケーブルは、極細同軸ケーブル１１０等の同軸ケーブルに限定されるものではなく、所謂単純線、即ち中心導体と、この中心導体の外周に被膜された絶縁体を有するケーブルを用いることもできる。
【００３９】
また、本実施形態の極細平型ケーブルでは、６００％の伸び率を有する太さ７８ｄＴＸのポリウレタン繊維を横糸１２０として使用していたが、本発明の平型ケーブルの横糸は、これに限定されるものではない。平型ケーブルの平面形状を維持したまま自由に変形させることができ、さらに、その形状を保持することが可能であれば、横糸として、ポリウレタン繊維を芯にしてナイロンやポリエステルを巻き付けたカバード糸や、綿や羊毛の紡績工程でポリウレタン糸を芯に入れたコア・スパン糸、自己捲回糸等を使用しても良い。
【００４０】
また、横糸の太さも、ケーブル同士のピッチを変更するため、若しくは、ケーブルの径に合わせて、自由に変更することが可能である。ただし、平型ケーブルの強度の問題から横糸として使用される糸は、２２ｄＴＸより太いものが好ましい。また、本実施形態のように、極細同軸ケーブル１１０を使用して平型ケーブルを形成する場合には、横糸が太過ぎると作業効率が低下する虞があるため、横糸として使用される糸は、２００ｄＴＸより細いものが好ましい。
【００４１】
さらに、本発明では、横糸は、伸び率が２０％以上１０００％以内であるものが好ましい。これは、横糸の伸び率が２０％以下の場合、平型ケーブルを自由に変形させることが困難になり、また、１０００％以上の場合、ケーブルを並置して織る作業の段階で、作業性が低下する虞があるためである。尚、ケーブル間のピッチを変更して使用する場合には、ケーブル間のピッチを変更できる範囲が広くなることから、横糸の伸び率は高い方が好ましくなる。
【００４２】
また、本実施形態の極細平型ケーブル１００では、伸び率６００％のポリウレタン繊維を横糸１２０として使用しているため、極細平型ケーブル１００を１８０度の角度まで自由に角度を与えて曲げることが可能となっているが、本発明の平型ケーブルは、この態様に限定されるものではない。例えば、伸び率２０％の糸を横糸として使用し、約１３０度の角度まで自由に角度を与えて曲げることが可能なものでもよい。
【００４３】
また、本実施形態の極細平型ケーブル１００は、絡み織りによって織られているが、本発明の平型ケーブルの織り方は、これに限定されるものではない。例えば、平型ケーブルの織り方は、平織りでも構わない。
【００４４】
また、本発明の平型ケーブルでは、平型ケーブルの平面形状を維持したまま自由に変形させることができ、さらに、その形状を保持することが可能であるため、例えば、一端をコネクタに接続した状態でこの平型ケーブルに一定の角度を与えて曲げ、他端部のケーブルを切り揃えると並置されているケーブルの長さが全て異なる平型ケーブルとなる。そのため、本発明では、並置されているケーブルの長さが全て異なる平型ケーブルを簡単に作成することも可能となる。従って、長さが異なる平型ケーブルに対応してコネクタと取り付けることが可能となり、これによって、コネクタの取付角度を任意に選択することも可能となる。
【００４５】
以上、本実施形態の極細平型ケーブル１００では、６００％の伸び率を有するポリウレタン繊維を横糸１２０として使用し、この横糸１２０と絡み糸１３０とで複数本の極細同軸ケーブル１１０を織って極細平型ケーブル１００を形成しているため、この極細平型ケーブル１００を曲げた際に、その曲げた部分で横糸１２０が伸長することになる。そして、極細平型ケーブル１００は、織って形成されているため、極細同軸ケーブル１１０の長手方向に対しては極細同軸ケーブル１１０同士がある程度摺動するようになり、曲げた部分の極細同軸ケーブル１１０を逃げ易くすることも可能となる。
【００４６】
これにより、本実施形態の極細平型ケーブル１００では、極細平型ケーブル１００の平面形状を保持したまましなやかに曲げることが可能となり、曲げた部分の極細同軸ケーブル１１０が、横糸１２０の伸長に合わせて極細同軸ケーブル１１０と横糸１２０の編み目から逃げることが可能になる。従って、本実施形態の極細平型ケーブル１００では、平面形状を維持したまま自由に変形させることができ、さらに、その形状を保持することが可能になる。また、極細平型ケーブル１００の端末に位置する各極細同軸ケーブル１１０のピッチを変更することが可能となるので、極細同軸ケーブル１１０の端末作業時の作業性を向上させることも可能となる。
【産業上の利用可能性】
【００４７】
本発明の平型ケーブルは、どのような機器でも適用可能である。例えば、計算機、コンピュータ、医療用機器等の電子機器でも適用可能であり、さらに、自動車、飛行機等の制御機器を狭小部に搭載する必要のある機械の制御回路にも適用可能である。また、小型化が進む、携帯電話、ＰＤＡ、ノートパソコン等のモバイル端末に使用することも可能である。
【図面の簡単な説明】
【００４８】
【図１】本実施形態の極細平型ケーブル１００の説明図であり、図１（ａ）は、極細平型ケーブル１００の平面図、図１（ｂ）は、極細平型ケーブル１００の断面図である。
【図２】本実施形態の極細同軸ケーブル１１０の断面図である。
【図３】図３は、本実施形態の極細平型ケーブル１００の曲げる前のケーブル形状と、曲げた後のケーブル形状を比較説明するための図であり、図３（ａ）は、本実施形態の極細平型ケーブル１００を曲げる前の図、図３（ｂ）は、本実施形態の極細平型ケーブル１００を曲げた後の図である。
【図４】本実施形態の極細平型ケーブル１００における端末処理作業の一例を示す図であり、図４（ａ）は、端末処理作業時の極細平型ケーブル１００の平面図、図４（ｂ）は、端末処理作業時の極細平型ケーブル１００の断面図である。
【符号の説明】
【００４９】
１  中心導体、
１ａ  導体、
２  誘電体層、
２ａ  誘電体、
３  外部導体層、
３ａ  導体素線、
４  ジャケット（保護被膜層）、
１００  極細平型ケーブル（平型ケーブル）、
１１０  極細同軸ケーブル（ケーブル）、
１２０  横糸（横糸）、
１２０ａ  第１横糸、
１２０ｂ  第２横糸、
１２０ｃ  第３横糸、
１３０  絡み糸（縦糸）、
１４０  コネクタ、
２００  拡張冶具、
２０１  櫛歯、
２４０  幅広コネクタ、
２４１  コネクタ端子、
【図１】
2008235024.tif 000003
【図２】
2008235024.tif 000004
【図３】
2008235024.tif 000005
【図４】
2008235024.tif 000006